(57)【要約】【課題】フレキシブル伝送路がコンタクト部に吸着することを抑制可能な画像読取装置を提供すること。【解決手段】画像読取装置２において、センサーユニット２４は、読取開始位置Ｐ１から読取終了位置Ｐ２へと往方向Ｄ１に送られている間に、コンタクト部２２上の原稿に光を照射し、反射した光を受光した後に、読取終了位置Ｐ２から読取開始位置Ｐ１へと復方向に送られる。フレキシブル伝送路２５は、センサーユニット２４における接続部Ｌ２から、読取開始位置Ｐ１及び読取終了位置Ｐ２の間の読取範囲Ｐ３における特定箇所Ｌ３に至る。除電部２６は、フレキシブル伝送路２５の上面に当接し且つ接地されている導電体２６２を含む。読取開始位置Ｐ１から往方向Ｄ１に離れた停止位置Ｐ４で導電体２６２が停止した状態で、センサーユニット２４が復方向Ｄ２に送られる時にフレキシブル伝送路２５が導電体２６２を摺動する。【選択図】図２
2019053109.tif 000002
【特許請求の範囲】
【請求項１】
原稿が載置されるコンタクト部と、
前記コンタクト部の下方に設けられ、前記原稿に光を照射し、反射した光を受光するセンサーユニットと、
前記センサーユニットを予め定められている読取開始位置から読取終了位置に向かう往方向と前記往方向とは逆方向である復方向とに搬送可能な送り機構と、
前記センサーユニットにおいて予め定められている接続部に接続されており、前記接続部から、前記読取開始位置及び前記読取終了位置の間の読取範囲における特定箇所に至ると共に途中で湾曲させられており、画像データが伝送されるフレキシブル伝送路と、
前記フレキシブル伝送路の上面に当接し且つ接地されている導電体を含み、前記センサーユニットの往復移動に伴って、前記往方向における前記読取開始位置から前記往方向に離間した停止位置と、当該停止位置よりも前記読取終了位置側の位置との間で移動可能な除電部と、
を備える画像読取装置。
【請求項２】
前記停止位置は前記読取範囲内の位置であり、
前記画像読取装置は、
前記センサーユニット及び前記除電部にそれぞれ設けられ、前記停止位置を基準として往方向側において互いに吸着する第１吸着部及び第２吸着部と、
前記センサーユニットが前記復方向に送られる過程で、前記除電部を前記停止位置に停止させて、前記第１吸着部及び前記第２吸着部を脱着させる停止部と、
を備える請求項１に記載の画像読取装置。
【請求項３】
前記停止位置は、前記読取範囲の中央の位置、又は、前記読取開始位置よりも前記読取終了位置に近い位置である、
請求項２に記載の画像読取装置。
【請求項４】
前記コンタクト部と平行に延在し、前記センサーユニットが前記読取範囲を送られる際に摺動し、導電性を有し且つ接地されており、前記導電体と電気的に接続されているガイドレール、
を備える請求項１〜３のいずれかに記載の画像読取装置。
【請求項５】
前記停止位置は前記読取範囲内の位置であり、
前記除電部にはねじ孔が形成されており、
前記画像読取装置は、
前記コンタクト部と平行に延在し、前記センサーユニットが前記読取範囲を送られる際に摺動するガイドレールであって、前記停止位置から前記往方向側における第１範囲にはねじが形成されていない非ねじ部と、前記第１範囲の前記往方向側における第１終端位置から、前記往方向において予め定められている第２終端位置までの第２範囲にはねじが形成されているねじ部と、を有しており、前記停止位置よりも前記往方向側において前記ねじ孔に挿通されるガイドレールと、
前記センサーユニットが前記往方向に送られている間、前記除電部を前記往方向に送る第１回転駆動力を前記ガイドレールに伝達し、前記センサーユニットが前記復方向に送られている間、前記除電部を前記復方向に送る第２回転駆動力を前記ガイドレールに伝達する駆動力伝達部と、
前記センサーユニットが前記復方向に送られる過程で、前記除電部を前記停止位置に停止させる停止部と、を備え、
前記第１範囲の前記往方向における寸法は、前記ねじ孔の前記往方向における寸法に相当し、
前記第２終端位置は、前記センサーユニットが前記読取終了位置に到達した時における前記ねじ孔の前記復方向側の端部よりも前記往方向側の位置である、
請求項１に記載の画像読取装置。
【請求項６】
前記ガイドレールは導電性を有し且つ接地されており、前記導電体と電気的に接続されている、
請求項５に記載の画像読取装置。
【請求項７】
前記除電部は、前記フレキシブル伝送路が挿通され、前記除電部が内周面に設けられている磁性体コアを含む、
を備える請求項１〜６のいずれかに記載の画像読取装置。
【請求項８】
請求項１〜７のいずれかに記載の画像読取装置と、
前記センサーユニットにより生成される前記画像データに基づき画像を形成する画像形成部と、
を備える画像形成装置。
【発明の詳細な説明】
【技術分野】
【０００１】
本発明は、コンタクト部上の原稿に光を照射し、反射した光に基づいて画像データを生成する画像読取装置、及び画像形成装置に関する。
【背景技術】
【０００２】
画像読取装置では、読取対象の原稿が載置されるコンタクト部は、例えば当該コンタクト部と原稿又はカバーとの接触時に摩擦帯電して静電気を帯びることがある。そのため、前記コンタクト部に導電性膜を接触させると共に、前記導電性膜を接地するという対策が採られることがある（例えば特許文献１を参照）。
【先行技術文献】
【特許文献】
【０００３】
【特許文献１】特開平１０−１１２７７１号公報
【発明の概要】
【発明が解決しようとする課題】
【０００４】
ところで、画像読取装置には、原稿が載置されるコンタクト部の下方を移動しながら前記原稿に光を照射し、原稿から反射した光に基づいて前記原稿上の画像を読み取るセンサーユニットが設けられる。そして、前記センサーユニットは、当該センサーユニットから画像データを受信する制御回路とＦＦＣ(Flexible Flat Cable)などのフレキシブル伝送路で接続される。ここで、前記フレキシブル伝送路の一端は、移動可能なセンサーユニットに接続され、他端は、前記画像読取装置の筐体内又は前記読取装置の外部に固定された前記制御回路に接続される。そのため、前記センサーユニットの移動によりフレキシブル伝送路が撓んでコンタクト部に接触することがある。また、前記コンタクト部の帯電等により前記フレキシブル伝送路も誘導帯電することがある。この場合、フレキシブル伝送路がコンタクト部に吸着して、センサーユニットの安定した動作を阻害するおそれがある。
【０００５】
本発明の目的は、フレキシブル伝送路がコンタクト部に吸着することを抑制可能な画像読取装置、及び画像形成装置を提供することである。
【課題を解決するための手段】
【０００６】
本発明の一の局面に係る画像読取装置は、コンタクト部と、センサーユニットと、送り機構と、フレキシブル伝送路と、除電部と、を備える。前記コンタクト部には原稿が載置される。前記センサーユニットは、前記コンタクト部の下方に設けられ、前記原稿に光を照射し、原稿から反射した光を受光する。前記送り機構は、前記センサーユニットを予め定められている読取開始位置から読取終了位置に向かう往方向と前記往方向とは逆方向である復方向とに搬送可能である。前記フレキシブル伝送路は、前記センサーユニットにおいて予め定められている接続部に接続されており、前記接続部から、前記読取開始位置及び前記読取終了位置の間の読取範囲における特定箇所に至ると共に途中で湾曲させられており、前記画像データが伝送される。前記除電部は、前記フレキシブル伝送路の上面に当接し且つ接地されている導電体を含み、前記センサーユニットの往復移動に伴って、前記読取開始位置における前記センサーユニットから離間した停止位置と当該停止位置よりも前記読取終了位置側の位置との間で移動可能である。
【０００７】
本発明の他の局面に係る画像形成装置は、前記画像読取装置と、画像形成部とを備える。前記画像形成部は、前記センサーユニットにより生成される前記画像データに基づき画像を形成する。
【発明の効果】
【０００８】
本発明によれば、フレキシブル伝送路がコンタクト部に吸着することを抑制可能な画像読取装置、及び画像形成装置を提供することができる。
【図面の簡単な説明】
【０００９】
【図１】図１は、本発明の一実施形態に係る画像読取装置及びこれを備える画像形成装置の構成を示す模式図である。
【図２】図２は、図１に示される画像読取装置の要部を模式的に示す上面図である。
【図３】図３は、図２に示される除電部の詳細な構成を示す模式図である。
【図４Ａ】図４Ａは、図２に示されるスキャナーユニットが読取開始位置から往方向に送られる際の画像読取装置の要部の動作を示す模式図である。
【図４Ｂ】図４Ｂは、図２に示されるスキャナーユニットが読取開始位置及び読取終了位置の間を往方向に送られる際の画像読取装置の要部の動作を示す模式図である。
【図４Ｃ】図４Ｃは、図２に示されるスキャナーユニットが読取終了位置に到達した時の画像読取装置の要部の動作を示す模式図である。
【図５Ａ】図５Ａは、図２に示されるスキャナーユニットが復方向に送られる過程で停止位置に到達した際の画像読取装置の要部の動作を示す模式図である。
【図５Ｂ】図５Ｂは、図２に示されるスキャナーユニットが停止位置から復方向に移動した直後の画像読取装置の要部の動作を示す模式図である。
【図６】図６は、本発明の他の実施形態に係る画像読取装置を示す模式図である。
【発明を実施するための形態】
【００１０】
以下、添付図面を参照しながら、本発明の各実施形態について説明し、本発明の理解に供する。なお、以下の実施形態は、本発明を具体化した一例であって、本発明の技術的範囲を限定するものではない。
【００１１】
［実施形態］
図１において、画像形成装置１は、例えば、複写機、プリンタ、ファクシミリ又は複合機である。前記複合機は、コピー機能、印刷機能及びファクス機能等、複数の機能を有する。
【００１２】
画像形成装置１は、画像読取装置２と、本体装置３と、を備える。
【００１３】
画像読取装置２は、本体装置３の上部に設けられている。なお、画像読取装置２は、画像形成装置１とは独立しているスキャナー等であってもよい。
【００１４】
また、画像読取装置２は、ＣＰＵ、ＲＯＭ及びＲＡＭ等を含む制御回路（図示せず）を備える。
【００１５】
前記ＣＰＵは、ＲＯＭに予め格納されているプログラムを、ＲＡＭを作業領域として使いながら実行する。これにより、前記ＣＰＵは画像形成装置１を統括的に制御し、画像読取処理又は画像形成処理等の各種の処理を実行する。
【００１６】
なお、前記制御回路は、本体装置３に設けられていてもよい。また、前記制御回路は、ＡＳＩＣ（Application Specific Integrated Circuit）又はＤＳＰ(Digital Signal Processor)などの電子回路であってもよい。
【００１７】
画像読取装置２は、図１，図２に示すように、筐体２１、コンタクト部２２、送り機構２３、センサーユニット２４及びフレキシブル伝送路２５等を備える。
【００１８】
筐体２１の上面にはコンタクト部２２が設けられる。また、筐体２１の内部には、送り機構２３、センサーユニット２４、フレキシブル伝送路２５及び除電部２６等が収容される。
【００１９】
コンタクト部２２は、透光性材料から作製される平板である。コンタクト部２２には、画像読取処理の対象となる原稿が載置される。
【００２０】
コンタクト部２２は、上方からの平面視で矩形状の載置面Ｓ１及び下面Ｓ２を有している。載置面Ｓ１は下面Ｓ２と、矢印Ｚで示す上下方向において対向する。
【００２１】
本画像読取装置２では、矢印Ｘで示す左右方向における位置（以下、左右方向位置という）である読取開始位置Ｐ１及び読取終了位置Ｐ２が予め定められている。読取開始位置Ｐ１は、載置面Ｓ１の左端辺寄りの位置である。また、読取終了位置Ｐ２は、読取開始位置Ｐ１を基準として右方向に所定距離だけ離れている位置である。前記所定距離は、例えば、画像読取装置２が読み取り可能な最大の前記原稿の前記左右方向における長さ（以下、左右方向長さという）に整合している。
【００２２】
なお、載置面Ｓ１上の前記原稿画像が有する前記左右方向長さを、前記制御回路が前記画像読取処理前に認識する場合がある。この場合、前記制御回路は、認識されている前記左右方向長さに応じて、読取終了位置Ｐ２を変更してもよい。
【００２３】
また、以下において、読取開始位置Ｐ１と読取終了位置Ｐ２との間の区間を読取範囲Ｐ３という。読取範囲Ｐ３に前記原稿が載置されると、センサーユニット２４は前記原稿上の画像を読み取ることができる。
【００２４】
また、読取開始位置Ｐ１から読取終了位置Ｐ２に向かう方向を往方向Ｄ１といい、往方向Ｄ１の逆方向を復方向Ｄ２という。
【００２５】
送り機構２３は、ガイドレール２３１、駆動プーリー２３２、テンションプーリー２３３及び無端ベルト２３４等を備えている。
【００２６】
ガイドレール２３１は、載置面Ｓ１と平行に前記左右方向に延在するロッド状の部材である。ガイドレール２３１の両端は、筐体２１に固定されている。
【００２７】
駆動プーリー２３２、テンションプーリー２３３及び無端ベルト２３４は、センサーユニット２４の下方に設けられる。無端ベルト２３４は、駆動プーリー２３２及びテンションプーリー２３３に架け渡される。
【００２８】
駆動プーリー２３２が図示しないパルスモーター等からの回転駆動力により正回転及び逆回転すると、無端ベルト２３４が往方向Ｄ１及び復方向Ｄ２に送られる。これにより、送り機構２３は、往方向Ｄ１への駆動力である第１駆動力、及び、復方向Ｄ２への駆動力である第２駆動力を生成する。
【００２９】
センサーユニット２４は、コンタクト部２２の下方に設けられ、無端ベルト２３４における直線部分Ｌ１によって往復移動される。また、センサーユニット２４には、前記左右方向に貫通しガイドレール２３１が挿通される貫通孔が形成され、ガイドレール２３１によって支持されている。
【００３０】
また、センサーユニット２４は、等倍光学系のＣＩＳ(Contact Image Sensor)、又は縮小光学系のセンサーユニットであって、前記原稿上の画像を光学的に読み取ることによって画像データを生成する。
【００３１】
具体的には、センサーユニット２４は、光源及びＣＭＯＳ(Complementary Metal Oxide Semiconductor)又はＣＣＤ(charge coupled device)ラインセンサーを含む。
【００３２】
前記光源は、発光素子及び導光体の組合せ、又は蛍光ランプである。
【００３３】
センサーユニット２４は、送り機構２３に前記回転駆動力が印加されている間、読取範囲Ｐ３を往復する。
【００３４】
具体的には、送り機構２３は、前記第１駆動力を生成して、センサーユニット２４を読取開始位置Ｐ１から読取終了位置Ｐ２に向かって往方向Ｄ１に搬送する。この間に、センサーユニット２４において、前記光源は、矢印Ｙで示す前後方向に延在する線状光を生成し、読取範囲Ｐ３上の前記原稿に照射する。また、センサーユニット２４において、前記ＣＭＯＳラインセンサーは前記原稿から反射した光を受光し、反射した光に基づき、画像データを生成しフレキシブル伝送路２５に出力する。
【００３５】
また、画像データの生成終了後、送り機構２３は、前記第２駆動力を生成して、センサーユニット２４を復方向Ｄ２に搬送し、読取終了位置Ｐ２から読取開始位置Ｐ１に戻す。
【００３６】
フレキシブル伝送路２５は、可撓性を有する配線である。具体的に、本実施形態におけるフレキシブル伝送路２５は、同一ピッチで平行に並べられている複数の平型線状導体を２枚の電気絶縁性フィルムで挟んだＦＦＣ (Flexible Flat Cable)である。フレキシブル伝送路２５としては、ＦＦＣ以外にも、ＦＰＣ(Flexible Printed Circuit)でもよい。ＦＰＣは、絶縁性膜と導電性膜を貼り合わせた基材に電気回路が形成されており、可撓性を有する回路基板である。
【００３７】
フレキシブル伝送路２５の一方端は、センサーユニット２４において予め定められている接続部Ｌ２に接続される。接続部Ｌ２は、フレキシブル伝送路２５及びセンサーユニット２４間で画像データを伝送するコネクターを備える。フレキシブル伝送路２５は接続部Ｌ２から、前記往方向Ｄ１側に向かって延在し、途中で湾曲させられて（即ち、折り返されて）、筐体２１の底部における特定箇所Ｌ３に至る。特定箇所Ｌ３の左右方向位置は、読取範囲Ｐ３において予め定められている。具体的に、フレキシブル伝送路２５は、センサーユニット２４の往復移動に追従可能なように湾曲された状態で画像読取装置２の筐体２１の内部に収容されている。
【００３８】
フレキシブル伝送路２５は、特定箇所Ｌ３の近傍にて、固定シール等で前記底部に固定されてもよい。この場合、フレキシブル伝送路２５の他方端は、特定箇所Ｌ３よりも復方向Ｄ２側に設けられている前記制御回路と接続されてもよい。
【００３９】
また、前記制御回路が本体装置３側に設けられている場合には、フレキシブル伝送路２５は、特定箇所Ｌ３に形成されているスリットを通過させて、前記制御回路と接続されてもよい。
【００４０】
センサーユニット２４の出力画像データは、フレキシブル伝送路２５を伝送されて、前記制御回路により受信される。
【００４１】
なお、前記複数の平型線状導体は、データ伝送用だけでなく、センサーユニット２４への給電用、及びグランドライン用の平型線状導体を含んでいてもよい。
【００４２】
再度図１を参照する。本体装置３は、画像形成部３１等を備える。
【００４３】
画像形成部３１は、感光体ドラム３１１、帯電器３１２、現像器３１３、転写器３１４、定着ローラー３１５及び加圧ローラー３１６等を備え、電子写真方式により、前記制御回路に送られてくる前記画像データに基づいて生成された画像をシート上に形成する。
【００４４】
なお、画像形成部３１は、モノクロ画像を形成するものでもよいが、例えばタンデム方式によりカラー画像を形成してもよい。また、画像形成部３１は、インクジェット方式により、前記画像をシート上に形成してもよい。
【００４５】
画像形成装置１のユーザーは、前記原稿を読取範囲Ｐ３に載置する際、コンタクト部２２に対して開閉可能な不図示の原稿台カバーを開閉する。このとき、コンタクト部２２は、前記原稿台カバーと接触し、前記原稿体カバーから離隔される。その結果、コンタクト部２２は帯電することがある。特に、コンタクト部２２は、ガラスから作製されている場合、プラスに帯電し易い。
【００４６】
また、フレキシブル伝送路２５は、コンタクト部２２の下方に配置されている。そのため、コンタクト部２２が帯電すると、フレキシブル伝送路２５の電気絶縁性フィルムは誘導帯電することがある。画像読取装置２の低背化を志向する場合、コンタクト部２２とフレキシブル伝送路２５との距離がより小さくなるため、前記誘導帯電はより生じやすくなる。ここで、前記電気絶縁性フィルムは、ポリエチレン等の樹脂材料で作製されている場合、マイナスに帯電し易い。
【００４７】
また、フレキシブル伝送路２５は、センサーユニット２４が往方向Ｄ１に送られる際、変形して下面Ｓ２に接触することがある。コンタクト部２２及び前記電気絶縁性フィルムは、互いに逆極性に帯電し易いため、互いに吸着し合うことがある。これにより、センサーユニット２４の安定した動作が阻害されるおそれがある。
【００４８】
そこで、画像読取装置２は、除電部２６、第１吸着部２７１、第２吸着部２７２及び停止部２８を備える。
【００４９】
除電部２６は、図２及び図３に示されるように、本体２６１と、導電体２６２と、接地導体２６３と、を含む。
【００５０】
本体２６１は、樹脂等で一体成型により作製されており、図３に明示するように、連結部２６１１、上部挟持部２６１２及び下部挟持部２６１３を有する。
【００５１】
上部挟持部２６１２及び下部挟持部２６１３は、連結部２６１１の上部及び下部から前方にそれぞれ突出している。上部挟持部２６１２の下面Ｓ３及び下部挟持部２６１３の上面Ｓ４は平坦に形成されており、前記上下方向において所定間隔をあけて対向する。
【００５２】
なお、コンタクト部２２との接触を考慮し、上部挟持部２６１２の上面Ｓ５も平坦に形成されてもよい。
【００５３】
前記所定間隔は、フレキシブル伝送路２５の厚さよりも予め定められているマージン分だけ大きい。なお、前記厚さは、前記上下方向における寸法である。
【００５４】
また、下面Ｓ３及び上面Ｓ４の幅は、フレキシブル伝送路２５の幅よりも予め定められているマージン分だけ大きい。なお、前記幅は、前記前後方向における寸法である。
【００５５】
導電体２６２は、導電性材料を用いて形成されている薄膜であり、下面Ｓ３に形成される。また、導電体２６２はさらに、接地導体２６３を介して接地される。導電体２６２は、接地導体２６３と電気的に接続するために、下面Ｓ３から、上部挟持部２６１２の右側面Ｓ６にも及んでいる。
【００５６】
連結部２６１１、下面Ｓ３及び上面Ｓ４により囲まれる空間Ｇ１に、フレキシブル伝送路２５が挿通される。導電体２６２は、除電部２６の自重でフレキシブル伝送路２５の上面に当接する。
【００５７】
なお、本体２６１において、上部挟持部２６１２及び下部挟持部２６１３は、前記前後方向の両側において連結されていても構わない。即ち、本体２６１は、扁平な環状形状を有することになる。
【００５８】
また、本体２６１は、環状形状を有する場合、樹脂以外にも、フェライト等の磁性材料で作製されてもよい。この場合、本体２６１は、フレキシブル伝送路２５が挿通される磁性体コアとなる。導電体２６２は、前記磁性体コアの内周面に設けられる。なお、前記磁性体コアにより、フレキシブル伝送路２５から発生するノイズが除去される。
【００５９】
接地導体２６３は、被覆導線等である。接地導体２６３の両端部分では前記被覆は剥がされている。接地導体２６３の一方端は、右側面Ｓ６上の導電体２６２に、半田接合等の手法で固定されている。接地導体２６３が上面Ｓ６に固定されず、上面Ｓ６が平坦であるため、コンタクト部２２の下面Ｓ２を傷付けることを抑制できる。
【００６０】
接地導体２６３の他方端は、図２に示すように、ガイドレール２３１に引掛けられることにより、導電体２６２とガイドレール２３１とを電気的に接続する。ここで、ガイドレール２３１は、一方端から他方端にわたって導電性材料で作製されている。また、ガイドレール２３１は、筐体グランド等の基準電位点に接地されている。したがって、導電体２６２は接地されることになる。ガイドレール２３１は、フレキシブル伝送路２５に沿って設けられるため、接地導体２６３を短くすることができる。
【００６１】
なお、接地導体２６３は、ガイドレール２３１以外を用いて接地されてもよい。第１に、接地導体２６３が筐体グランド等に直接接続されてもよい。第２に、通常、フレキシブル伝送路２５の両端では、前記グランドライン等が露出していることがある。この場合、接地導体２６３は、前記グランドラインにおける露出部分に接続されてもよい。
【００６２】
第１吸着部２７１は、磁石等であり、センサーユニット２４の右側面Ｓ７に固定的に設けられる。第２吸着部２７２は、金属等であり、本体２６１の左側面Ｓ８に固定的に設けられる。
【００６３】
より具体的には、第１吸着部２７１及び第２吸着部２７２は、後述の停止位置Ｐ４（後述）で除電部２６が停止しているときに、往方向Ｄ１において互いに対向する位置に設けられる。これにより、往方向Ｄ１に送られるセンサーユニット２４が停止位置Ｐ４を通過するときに、第１吸着部２７１は第２吸着部２７２に吸着する。
【００６４】
なお、第１吸着部２７１が本体２６１に、第２吸着部２７２がセンサーユニット２４に固定されてもよい。また、第２吸着部２７２も磁石であってもよい。
【００６５】
停止部２８は、第１突出部２８１と、第２突出部２８２とを有する。
【００６６】
画像読取装置２には、図１に示されるように、停止位置Ｐ４が予め定められている。停止位置Ｐ４は、前記往方向Ｄ１における位置であって、前記読取範囲Ｐ３において、読取開始位置Ｐ１から往方向Ｄ１に離れている位置である。そして、第１突出部２８１は、除電部２６の復方向Ｄ２への移動時に当該除電部２６が停止位置Ｐ４で停止する位置で第２突出部２８２に接触する位置に設けられている。第１突出部２８１及び第２突出部２８２の接触により、除電部２６が停止位置Ｐ４から復方向Ｄ２へ移動することが規制される。
【００６７】
第１突出部２８１は、停止位置Ｐ４において筐体２１の底部から上方に突出する。なお、第１突出部２８１の前記前後方向位置は、後述の第２突出部２８２の前記前後方向位置と整合している。
【００６８】
第２突出部２８２は、図３に示されるように、除電部２６における底面Ｓ９から下方に突出する。
【００６９】
より具体的には、図４Ａ乃至図４Ｃに示すように、センサーユニット２４は、読取範囲Ｐ３を往方向Ｄ１に送られる過程で、ガイドレール２３１上を摺動し、第１吸着部２７１は、停止位置Ｐ４にて停止する除電部２６の第２吸着部２７２に吸着する。その後、センサーユニット２４が読取終了位置Ｐ２まで往方向Ｄ１に送られるまでの間、第１吸着部２７１及び第２吸着部２７２は互いに吸着している。即ち、センサーユニット２４が往方向Ｄ１に移動する際には、停止位置Ｐ４以降は、当該センサーユニット２４と共に除電部２６が往方向Ｄ１に移動することになる。センサーユニット２４は読取終了位置Ｐ２まで移動するので、除電部２６は、その時、読取終了位置Ｐ２よりさらに往方向Ｄ１側の位置まで移動する。
【００７０】
また、第１吸着部２７１及び第２吸着部２７２は、図５Ａに示すように、センサーユニット２４が読取範囲Ｐ３を復方向Ｄ２に送られる過程で、除電部２６が停止位置Ｐ４を到達するまでは、互いに吸着している。除電部２６が停止位置Ｐ４に到達すると、停止部２８の第２突出部２８２が第１突出部２８１に当接することにより、除電部２６の復方向Ｄ２への移動が規制されて停止位置Ｐ４にて停止する。また、第１吸着部２７１（即ちセンサーユニット２４）が第２吸着部２７２（即ち除電部２６）から離れる。即ち、除電部２６は、センサーユニット２４の往復移動に伴って、停止位置Ｐ４と当該停止位置Ｐ４よりも読取終了位置Ｐ２側の位置との間で移動可能である。
【００７１】
ここで、フレキシブル伝送路２５は、センサーユニット２４の移動中、読取範囲Ｐ３において読取終了位置Ｐ２側で相対的に大きく変形して、コンタクト部２２に接触し易い。そこで、停止位置Ｐ４が、読取範囲Ｐ３における中央の位置、又は、読取範囲Ｐ３において読取開始位置Ｐ１よりも読取終了位置Ｐ２に近い位置に定められていてもよい。この場合、除電部２６の自重により、フレキシブル伝送路２５のコンタクト部２２への接触が抑制される。
【００７２】
センサーユニット２４は、停止位置Ｐ４を通過後も、図５Ｂに示すように、読取開始位置Ｐ１に向けて送られるため、フレキシブル伝送路２５の上面は、接続部Ｌ２の部分から導電体２６２上を摺動する。このとき、フレキシブル伝送路２５の前記電気絶縁性フィルムが帯電していると、マイナスの電荷が導電体２６２及び接地導体２６３を介して前記基準電位点に移動し、これによって、フレキシブル伝送路２５の除電が行われる。その結果、フレキシブル伝送路２５がコンタクト部２２に吸着することを抑制でき、センサーユニット２４を安定的に動作させることが可能となる。
【００７３】
なお、除電部２６は、読取終了位置Ｐ２よりもさらに往方向Ｄ１側に停止位置Ｐ４に固定的に設けられていてもよい。このような停止位置Ｐ４では、除電部２６は、第１吸着部２７１及び第２吸着部２７２及び停止部２８を必要とすることなく、上述と同様に、フレキシブル伝送路２５の除電を行うことができる。
【００７４】
また、従来の画像読取装置では、コンタクト部に導電性膜を接触させると共に、前記導電性膜を接地して、前記コンタクト部の除電を行うという対策がとられることがある。
【００７５】
しかし、前記対策を講じても、コンタクト部の読取範囲における電荷は除去されにくく、フレキシブル伝送路のコンタクト部への吸着を抑制することは難しい。
【００７６】
具体的には、コンタクト部には前記原稿が載置されるため、前記導電性膜は読取範囲外に設けられる必要がある。しかし、前記ガラスは電気絶縁性を有するため、前記読取範囲における電荷は前記導電性膜に移動しにくい。前記読取範囲の除電が不十分な場合、フレキシブル伝送路は誘導帯電する。したがって、前記対策では、前記吸着を抑制することは難しい。
【００７７】
しかし、画像読取装置２では、フレキシブル伝送路２５の上面が導電体２６２と直接当接して摺動するため、フレキシブル伝送路２５が十分に除電される。したがって、たとえ読取範囲Ｐ３が帯電していたとしても、画像読取装置２によれば、前記対策よりも前記吸着を抑制することが可能となる。
【００７８】
また、前記対策では、コンタクト部の読取範囲が十分に除電されないため、フレキシブル伝送路を前記読取範囲の真下に配置することが難しい。それゆえ、前記対策では、前記吸着の抑制のために、前記フレキシブル伝送路を前記導電性膜の真下に配置する、前記フレキシブル伝送路を筐体２１から十分に隔離する、又はフレキシブル伝送路の厚さを大きくしてフレキシブル伝送路を変形し難くする等、さらなる対策を講じる必要が生じる。
【００７９】
しかし、画像読取装置２によれば、フレキシブル伝送路２５が読取範囲Ｐ３の真下に配置される場合であっても、除電部２６により前記吸着を抑制できる。したがって、フレキシブル伝送路２５を、コンタクト部２２における読取範囲外の真下に配置する必要がなくなる。その結果、筐体２１の前記前後方向における寸法を小さくすることができる。
【００８０】
また、画像読取装置２によれば、除電部２６により、フレキシブル伝送路２５自体が除電されるため、フレキシブル伝送路２５をコンタクト部２２から十分に隔離しなくともよい。換言すると、フレキシブル伝送路２５とコンタクト部２２とを前記対策よりも近接させた状態で筐体２１内に配置することができる。その結果、筐体２１の前記上下方向における寸法を小さくすることができる。
【００８１】
さらに、画像読取装置２によれば、除電部２６によりフレキシブル伝送路２５自体が除電されるため、フレキシブル伝送路２５の厚さを大きくする必要性もなくなる。
【００８２】
［他の実施形態］
以下、本発明に係る他の実施形態について説明する。なお、以下に説明する他の実施形態において、前記実施形態の構成に相当するものには同一参照符号を付与し、それぞれの説明を控える。
【００８３】
図６において、画像読取装置２は、第１吸着部２７１及び第２吸着部２７２を備えていない。
【００８４】
また、除電部２６において、本体２６１には、ガイドレール２３１が挿通可能なねじ孔Ｈ１が形成されている。したがって、本体２６１の形状は、前記実施形態とは異なる。
【００８５】
ガイドレール２３１は、非ねじ部Ｎ１と、ねじ部Ｎ２とを有しており、往方向Ｄ１に平行な中心軸回りに回転可能に支持されている。
【００８６】
ガイドレール２３１はねじ孔Ｈ１に挿通される。また、除電部２６は停止位置Ｐ４よりも往方向Ｄ１側に配置される。
【００８７】
非ねじ部Ｎ１は、ガイドレール２３１の外周においてねじが形成されていない部分である。具体的には、非ねじ部Ｎ１は、停止位置Ｐ４から往方向Ｄ１側における第１範囲Ｒ１に設けられる。第１範囲Ｒ１の往方向Ｄ１における寸法は、ねじ孔Ｈ１の往方向Ｄにおける寸法に相当する。
【００８８】
ねじ部Ｎ２は、ガイドレール２３１の外周において、ねじ孔Ｈ１と螺合するねじが形成されている部分である。具体的には、ねじ部Ｎ２は、第１範囲Ｒ１の往方向Ｄ１側における第１終端位置Ｐ５から、往方向Ｄ１において予め定められている第２終端位置Ｐ６までの第２範囲Ｒ２に設けられている。
【００８９】
第２終端位置Ｐ６は、図６中鎖線で示すようにセンサーユニット２４が読取終了位置Ｐ２に到達した時におけるねじ孔Ｈ１の復方向Ｄ２側の端部よりも往方向Ｄ１側の位置である。
【００９０】
画像読取装置２は、ガイドレール２３１を回転させるために駆動力伝達部２９を備える。
【００９１】
駆動力伝達部２９は、センサーユニット２４が読取範囲Ｐ３を往方向Ｄ１に送られている間、除電部２６を往方向Ｄ１に送る第１回転駆動力をガイドレール２３１に伝達する。
【００９２】
駆動力伝達部２９は、センサーユニット２４が読取範囲Ｐ３を復方向Ｄ２に送られている間、除電部２６を復方向Ｄ２に送る第２回転駆動力をガイドレール２３１に伝達する。
【００９３】
より具体的には、除電部２６は、前記画像読取処理の開始時、非ねじ部Ｎ１に位置する。センサーユニット２４は、読取範囲Ｐ３を往方向Ｄ１に送られる過程で、停止位置Ｐ４から除電部２６を往方向Ｄ１に押圧する。除電部２６がセンサーユニット２４により押圧されると、ねじ孔Ｈ１がねじ部Ｎ２に係合する。その後、除電部２６は、前記第１回転駆動力により往方向Ｄ１に送られる。
【００９４】
また、センサーユニット２４が読取範囲Ｐ３を復方向Ｄ２に送られる過程で、ねじ孔Ｈ１はねじ部Ｎ２に係合しており、除電部２６は、前記第２回転駆動力により復方向Ｄ２に送られる。除電部２６が停止位置Ｐ４に到達した直後、ねじ孔Ｈ１は非ねじ部Ｎ１に移動する。また、第２突出部２８２が第１突出部２８１に当接することにより、停止部２８は、除電部２６を停止位置Ｐ４で停止させて、除電部２６の復方向Ｄ２への移動を規制する。
【００９５】
センサーユニット２４は、停止位置Ｐ４を通過後も、読取開始位置Ｐ１に向けて送られるため、フレキシブル伝送路２５の上面は導電体２６２上を摺動する。
【００９６】
なお、ガイドレール２３１は非ねじ部Ｎ１を有さなくともよい。この場合、ねじ孔Ｈ１にトルクリミッターが設けられ、除電部２６が停止位置Ｐ４に到達した時に、トルクリミッターが動作させる。これにより、ガイドレール２３１はねじ孔Ｈ１の内部で空転するため、除電部２６が停止位置Ｐ４から復方向Ｄ２側に送られることを規制することが可能となる。
【符号の説明】
【００９７】
１  画像形成装置
２  画像読取装置
２２  コンタクト部
Ｐ１  読取開始位置
Ｐ２  読取終了位置
Ｐ３  読取範囲
Ｄ１  往方向
Ｄ２  復方向
２３  送り機構
２３１  ガイドレール
Ｎ１  非ねじ部
Ｎ２  ねじ部
２４  センサーユニット
２５  フレキシブル伝送路
Ｌ２  接続部
Ｌ３  特定箇所
２６  除電部
２６２  導電体
２６３  接地導体
Ｈ１  ねじ孔
２７１  第１吸着部
２７２  第２吸着部
２８  停止部
２９  駆動力伝達部
３  本体装置
３１  画像形成部
【図１】
2019053109.tif 000003
【図２】
2019053109.tif 000004
【図３】
2019053109.tif 000005
【図４Ａ】
2019053109.tif 000006
【図４Ｂ】
2019053109.tif 000007
【図４Ｃ】
2019053109.tif 000008
【図５Ａ】
2019053109.tif 000009
【図５Ｂ】
2019053109.tif 000010
【図６】
2019053109.tif 000011